(57)【要約】【課題】蓋部による封止を確実に行うことができる光トランシーバを提供する。【解決手段】実施形態に係る光トランシーバは、側壁及び底壁を有するハウジング２と、側壁に支持され、ハウジング２と内部空間を形成する蓋部３と、ハウジング２に蓋部３を固定するシールドフィンガ２０と、を備え、蓋部３は、シールドフィンガ２０が入り込んでシールドフィンガ２０が係合する係合穴１５を有し、係合穴１５の内側面は、係合穴１５の開口側から係合穴１５の底面１５ｂ側に向かうに従って係合穴１５が広がる方向に延びる傾斜面１５ｄを含む。【選択図】図６
2019015795.tif 000002
【特許請求の範囲】
【請求項１】
側壁及び底壁を有するハウジングと、
前記側壁に支持され、前記ハウジングと内部空間を形成する蓋部と、
前記ハウジングに前記蓋部を固定する固定具と、
を備え、
前記蓋部は、前記固定具が入り込んで前記固定具が係合する係合穴を有し、
前記係合穴の内側面は、前記係合穴の開口側から前記係合穴の奥側に向かうに従って前記係合穴が広がる方向に延びる傾斜面を含む、
光トランシーバ。
【請求項２】
前記固定具は、前記係合穴に入り込む係合部を有し、
前記係合部は、前記傾斜面に沿った状態で前記係合穴に係合する、
請求項１に記載の光トランシーバ。
【請求項３】
前記固定具は、前記ハウジングを取り囲む胴体部と、前記胴体部から前記ハウジングに沿って延びる複数のフィンガ部と、を有し、
前記複数のフィンガ部の間には、スリットが形成されており、
複数の前記スリットが、前記複数のフィンガ部の配列方向に沿って配列されており、
複数の前記スリットは、前記フィンガ部の端面から前記フィンガ部の曲げ開始位置に延びる第１スリットと、前記端面から前記曲げ開始位置に向かって延びると共に前記第１スリットよりも長く延びる第２スリットと、を含む、
請求項１又は２に記載の光トランシーバ。
【請求項４】
前記フィンガ部と前記ハウジングとの間に挟み込まれた弾性体を備える、
請求項３に記載の光トランシーバ。
【請求項５】
前記固定具は、前記係合穴から延びると共に前記蓋部の上面に接触する第１部分と、前記第１部分から前記側壁に沿って曲がる第２部分と、前記第２部分の前記第１部分との反対側の端部から前記底壁に沿って曲がる第３部分と、を有し、
前記第２部分と前記第３部分との成す角の角度は、前記第１部分と前記第２部分との成す角の角度よりも大きい、
請求項１〜４のいずれか一項に記載の光トランシーバ。
【発明の詳細な説明】
【技術分野】
【０００１】
本発明は、光トランシーバに関するものである。
【背景技術】
【０００２】
特許文献１には、受光素子及び発光素子を備えた光モジュールが記載されている。光モジュールは、ハウジングと、ハウジングの内部に収容される回路基板とを備える。ハウジングは、側壁及び底壁を有する下筐体と、蓋部を構成する上筐体とを備える。この光モジュールでは、上筐体の前端を下筐体の前端に引っ掛けて、引っ掛けた部分を支点として上筐体を後方且つ下方に倒すことにより、下筐体が封止される。このとき、上筐体の後端が下筐体の後端に係合することにより、上筐体が下筐体を封止する。
【先行技術文献】
【特許文献】
【０００３】
【特許文献１】特開２０１３−２９５３９号公報
【発明の概要】
【発明が解決しようとする課題】
【０００４】
光トランシーバでは、ハウジングを確実に封止するため、ネジによって蓋部を係合させることがある。この係合を確実なものとするためには、複数のネジを用いることが必要である。また、光トランシーバの業界標準規格を定めたＭＳＡ（Multi Source Agreement）は、光トランシーバの外形について厳格に規定している。このため、複数のネジを効率よく配置するスペースを光トランシーバの内部に確保できないことがある。従って、蓋部による封止を確実に行えなくなることが懸念される。
【０００５】
本発明は、蓋部による封止を確実に行うことができる光トランシーバを提供することを目的とする。
【課題を解決するための手段】
【０００６】
本発明の一形態に係る光トランシーバは、側壁及び底壁を有するハウジングと、側壁に支持され、ハウジングと内部空間を形成する蓋部と、ハウジングに蓋部を固定する固定具と、を備え、蓋部は、固定具が入り込んで固定具が係合する係合穴を有し、係合穴の内側面は、係合穴の開口側から係合穴の奥側に向かうに従って係合穴が広がる方向に延びる傾斜面を含む。
【発明の効果】
【０００７】
本発明の一形態では、蓋部による封止を確実に行うことができる。
【図面の簡単な説明】
【０００８】
【図１】図１は、実施形態に係る光トランシーバを示す斜視図である。
【図２】図２は、光トランシーバの内部構造を示す斜視図である。
【図３】図３は、光トランシーバを示す断面図である。
【図４】図４は、光トランシーバの蓋部の前端を示す斜視図である。
【図５】図５は、図４の蓋部の前端を拡大した斜視図である。
【図６】図６は、蓋部の係合穴に固定具の係合部が係合している状態を示す図である。
【図７】図７は、蓋部、固定具及び光レセプタクルを示す平面図である。
【図８】図８は、ハウジングと固定具のフィンガ部との間に挟まれた弾性体を示す側面図である。
【図９】図９は、ハウジング、蓋部及び固定具を示す断面図である。
【図１０】図１０は、固定具を示す平面図である。
【図１１】図１１は、フィンガ部とハウジングを示す側面図である。
【図１２】図１２は、ハウジングにシートを挿入する状態を示す斜視図である。
【図１３】図１３は、ハウジングに中間アセンブリを挿入する状態を示す斜視図である。
【図１４】図１４は、ハウジングにホルダを挿入する状態を示す斜視図である。
【図１５】図１５は、ハウジングに内蓋を組み付ける状態を示す斜視図である。
【図１６】図１６は、変形例に係る蓋部を示す斜視図である。
【発明を実施するための形態】
【０００９】
［本願発明の実施形態の説明］
最初に、本願発明の実施形態の内容を列記して説明する。実施形態に係る光トランシーバは、側壁及び底壁を有するハウジングと、側壁に支持され、ハウジングと内部空間を形成する蓋部と、ハウジングに蓋部を固定する固定具と、を備え、蓋部は、固定具が入り込んで固定具が係合する係合穴を有し、係合穴の内側面は、係合穴の開口側から係合穴の奥側に向かうに従って係合穴が広がる方向に延びる傾斜面を含む。
【００１０】
この光トランシーバでは、ハウジングと内部空間を形成する蓋部は、固定具が入り込んで当該固定具が係合する係合穴を有する。係合穴は、開口側から奥側に向かうに従って広がる傾斜面を備える。よって、固定具が係合穴に係合しているときに固定具が傾斜面に当接することにより、係合穴から固定具を抜けにくくすることができる。従って、蓋部から固定具が抜けにくくなることにより、ハウジングから蓋部を外れにくくすることができるので、蓋部によるハウジングの封止を確実に行うことができる。
【００１１】
また、固定具は、係合穴に入り込む係合部を有し、係合部は、傾斜面に沿った状態で係合穴に係合してもよい。この場合、固定具の係合部が傾斜面に沿った状態で係合穴に係合する。よって、係合穴の傾斜面に係合部を沿わせて係合部を蓋部に強固に係合することができるので、固定具により一層強固に蓋部を固定することができる。従って、蓋部を強固に固定することにより、蓋部による封止をより確実に行うことができる。
【００１２】
また、固定具は、ハウジングを取り囲む胴体部と、胴体部からハウジングに沿って延びる複数のフィンガ部と、を有し、複数のフィンガ部の間には、スリットが形成されており、複数のスリットが、複数のフィンガ部の配列方向に沿って配列されており、複数のスリットは、フィンガ部の端面からフィンガ部の曲げ開始位置に延びる第１スリットと、端面から曲げ開始位置に向かって延びると共に第１スリットよりも長く延びる第２スリットと、を含んでもよい。この場合、第１スリットが曲げ開始位置に延びることにより、第１スリットに隣接するフィンガ部の先端側の部分に確実に弾性力を発揮させることができる。よって、当該フィンガ部によるバネ力を確実に発揮することができる。更に、第２スリットが曲げ開始位置よりも奥側まで長く延びることにより、第２スリットに隣接するフィンガ部によって応力を緩和することができるので、フィンガ部のへたりを抑制することができる。このように、互いに長さが異なる第１スリットと第２スリットを備えることにより、バネ力を発揮する効果と、へたりを抑制する効果の両方を得ることができる。
【００１３】
また、前述の光トランシーバは、フィンガ部とハウジングとの間に挟み込まれた弾性体を備えてもよい。この場合、フィンガ部とハウジングとの間に弾性体が介在することにより、フィンガ部をホストシステムのケージ側に押し上げることができる。従って、フィンガ部とケージとの接触を確保することができる。
【００１４】
また、固定具は、係合穴から延びると共に蓋部の上面に接触する第１部分と、第１部分から側壁に沿って曲がる第２部分と、第２部分の第１部分との反対側の端部から底壁に沿って曲がる第３部分と、を有し、第２部分と第３部分との成す角の角度は、第１部分と第２部分との成す角の角度よりも大きくてもよい。この場合、係合穴から延びる第１部分と第２部分の角度は、第２部分と第３部分との角度よりも小さい。よって、第１部分と第２部分の角度が相対的に小さいことによって、係合穴への固定部の係合をより強固に行うことができる。また、第２部分と第３部分との角度が相対的に大きいことによって、係合穴の反対側では固定具にかかる応力を緩和することができる。
【００１５】
［本願発明の実施形態の詳細］
本願発明の実施形態に係る光トランシーバの具体例を、図面を参照しながら説明する。なお、本発明は、以下の例示に限定されるものではなく、特許請求の範囲によって示され、特許請求の範囲と均等の範囲内における全ての変更が含まれることが意図される。以下では、図面の説明において、同一又は相当する要素には同一の符号を付し重複する説明を適宜省略する。
【００１６】
図１は、本実施形態に係る光トランシーバ１を示す斜視図である。図２は、光トランシーバ１の内部構造を示す斜視図である。光トランシーバ１は、光通信に用いられる機器であり光信号と電気信号の相互変換を行う。光トランシーバ１は、その長手方向Ｄ１に沿って、ホストシステムに用意されたケージに挿入される。光トランシーバ１は、ハウジング２、蓋部３、内蓋４、光レセプタクル５、回路基板６及びシールドフィンガ２０（固定具）を備える。以下の説明では、光トランシーバ１の前方を光レセプタクル５が形成されている側、後方をその反対側とする。
【００１７】
図３は、光トランシーバ１の封止構造を示す断面図である。図２及び図３に示されるように、ハウジング２は、光トランシーバ１の光部品及び電気部品を収容する。ハウジング２は、底壁２ａと、底壁２ａの両端から立ち上がる２つの側壁２ｂを有する。側壁２ｂの外面の前側（光レセプタクル５側）には、第１凹部２ｃ、及び第１凹部２ｃの下方に位置する第２凹部２ｄが設けられる。
【００１８】
第１凹部２ｃ及び第２凹部２ｄは、共に、光トランシーバ１の幅方向Ｄ２に一対に設けられる。側壁２ｂの後端には、蓋部３の後端を受容する一対の凹部２ｅが設けられており、側壁２ｂの前後方向の中央付近には、内蓋４の円弧状の突起４ｂを受容する溝２ｆが設けられている。
【００１９】
ハウジング２及び蓋部３は内部空間Ｓを形成する。蓋部３の前端には、蓋部３の裏面３ａから裏面３ａの面外方向に突出する一対の突出部３ｂと、突出部３ｂの先端において幅方向Ｄ２の内側に突出する凸部３ｃとが設けられる。凸部３ｃ及び突出部３ｂが第１凹部２ｃ及び第２凹部２ｄに入り込み、凸部３ｃが第２凹部２ｄに係合することにより、ハウジング２に蓋部３が係合する。
【００２０】
ハウジング２、蓋部３及び内蓋４は、内部空間Ｓにおいて誘起される電磁放射ノイズの外部への漏洩を防止する。ハウジング２と蓋部３の間には、弾性体から成るガスケット７が挿入される。蓋部３の裏面３ａにおいて、ガスケット７は、蓋部３の後側から前方に延びると共に後方に折り返されるＵ字状を成すように配置される。内蓋４は、樹脂製又は金属製である。金属製の内蓋４は、回路基板６上に搭載された回路素子から蓋部３までの放熱パスを確保する。
【００２１】
内蓋４は、その中央にネジ孔４ａを有し、蓋部３は、その中央にネジＮの挿通孔３ｄを有する。ネジ孔４ａ及び挿通孔３ｄは、内蓋４に蓋部３を重ねるときに整合する。蓋部３の上側からネジＮを挿通孔３ｄに挿通すると共に、ネジＮをネジ孔４ａに挿入してネジ止めすることにより、蓋部３と内蓋４をハウジング２に固定する。ネジＮの長さは、その先端Ｎ１が回路基板６から離間する長さとされている。
【００２２】
光レセプタクル５は、光トランシーバ１の一端に設けられており、外部の光コネクタを受容する。光レセプタクル５は、ハウジング２の前端においてハウジング２に接続されている。回路基板６は、その後端に電気プラグ６ａを備える。電気プラグ６ａがケージの内部の電気コネクタに係合することによって、光トランシーバ１とホストシステムとの間の通信が確立する。
【００２３】
内部空間Ｓには、前述した回路基板６に加えて、ＴＯＳＡ（Transmitter Optical Sub-Assembly）８、ＲＯＳＡ（Receiver Optical Sub-Assembly）９、及び２枚のＦＰＣ（FlexiblePrinted Circuit）基板１０，１１が収容される。回路基板６、ＴＯＳＡ８、ＲＯＳＡ９及び２枚のＦＰＣ基板１０，１１は、中間アセンブリＭ（図１３参照）を構成する。ＴＯＳＡ８及びＲＯＳＡ９は、光トランシーバ１の幅方向Ｄ２に並置される。ＦＰＣ基板１０はＴＯＳＡ８と回路基板６を接続し、ＦＰＣ基板１１はＲＯＳＡ９と回路基板６を接続する。
【００２４】
ＲＯＳＡ９は、光トランシーバ１の外部から受信した光信号を電気信号に変換する。ＲＯＳＡ９が変換した電気信号はＦＰＣ基板１１を介して回路基板６に伝送される。回路基板６が搭載する回路は、この電気信号に信号処理を施し、当該電気信号はホストシステムに向けて出力される。
【００２５】
一方、ホストシステムから回路基板６には送信用の電気信号が入力する。当該電気信号は、回路基板６が搭載する回路によって処理された後、ＦＰＣ基板１０を介してＴＯＳＡ８に伝送される。ＴＯＳＡ８は、この電気信号を光信号に変換した後、当該光信号を光トランシーバ１の外部に出力する。
【００２６】
図４は、蓋部３の前側を示す斜視図である。図４に示されるように、蓋部３は、前述した挿通孔３ｄが設けられる上面３ｅを有する。上面３ｅの前端には、シールドフィンガ２０が入り込む凹部３ｆが設けられる。凹部３ｆは、蓋部３の幅方向Ｄ２に一対に設けられており、各凹部３ｆは、蓋部３の幅方向Ｄ２の両端側に向かうに従って後方に広がっている。
【００２７】
図５は、蓋部３の前側を拡大した斜視図である。図４及び図５に示されるように、凹部３ｆの後端には、凹部３ｆから更に窪むと共に凹部３ｆに沿って延びる溝部３ｇが設けられている。一対の溝部３ｇの間には、前方に突出する凸部３ｈが設けられる。蓋部３の端面３ｊにおける蓋部３の幅方向Ｄ２の中央には、端面３ｊから前方に突出する突出部３ｋが設けられている。突出部３ｋは、ハウジング２の凹部２ｊ（図２参照）に係合する部位であり、突出部３ｋ及びハウジング２の凹部２ｊはシールドフィンガ２０によって被覆される。
【００２８】
蓋部３は、シールドフィンガ２０が入り込んでシールドフィンガ２０が係合する係合穴１５を有する。係合穴１５は、凸部３ｈの前端から突出部３ｋの前端にまで延びている。係合穴１５は、一対の内側面１５ａ及び底面１５ｂを有する。例えば、内側面１５ａ及び底面１５ｂは、共に、平坦状とされているが、内側面１５ａ及び底面１５ｂの少なくとも一部が平坦状以外の形状とされていてもよい。
【００２９】
内側面１５ａは、係合穴１５の開口１５ｃ側から係合穴１５の底面１５ｂ側（奥側）に向かうに従って係合穴１５が広がる方向に延びる傾斜面１５ｄを含む。図４及び図５では、内側面１５ａの全体が傾斜面１５ｄである例を示しているが、内側面１５ａの一部が傾斜面１５ｄであってもよい。蓋部３の上方から見て、係合穴１５の開口１５ｃは、前後方向に直線状に延びている。蓋部３の長手方向Ｄ１から見て、係合穴１５は、台形状を成している。
【００３０】
図６は、前述した係合穴１５、及び係合穴１５に係合するシールドフィンガ２０の係合部２１を示している。図７は、ハウジング２及び蓋部３に固定されたシールドフィンガ２０を示している。シールドフィンガ２０は、バネ要素を有する導電性機構部品として用いられる。
【００３１】
シールドフィンガ２０は、ハウジング２及び蓋部３の光レセプタクル５との接続部分を取り囲むように装着され、ホストシステムのケージと電気的及び物理的に接触する。シールドフィンガ２０は、前述した係合部２１と、ハウジング２及び蓋部３を取り囲む胴体部２２と、胴体部２２からハウジング２に沿って延びる複数のフィンガ部２３とを備える。
【００３２】
係合部２１は、係合穴１５の傾斜面１５ｄに沿った状態で係合穴１５に係合する。係合部２１は、光トランシーバ１の幅方向Ｄ２に一対に設けられる。係合部２１は、光トランシーバ１の幅方向Ｄ２の中央において下側に曲げられる部位とされている。係合部２１は、傾斜面１５ｄに対向する内面２１ａと、内面２１ａの反対側を向く外面２１ｂと、係合穴１５の底面１５ｂに対向する端面２１ｃとを有する。内面２１ａは、例えば、平坦状を成している。外面２１ｂは、係合部２１の上端から蓋部３の幅方向Ｄ２の中央側且つ底面１５ｂに向かって湾曲している。
【００３３】
前方から見た状態において、内面２１ａと、シールドフィンガ２０の下面２０ａとの成す角度θ１は、例えば、鋭角とされている。これにより、蓋部３からシールドフィンガ２０が外れようとしても傾斜面１５ｄに内面２１ａが当接し、係合穴１５において係合部２１が引っ掛かるため、シールドフィンガ２０の脱落が抑制される。
【００３４】
シールドフィンガ２０は、その後端に、長手方向Ｄ１及び幅方向Ｄ２に対して傾斜する一対の折り曲げ部２６を有する。折り曲げ部２６は、下方に折り曲げられる部位であり、蓋部３の溝部３ｇに入り込む。各折り曲げ部２６が各溝部３ｇに入り込むことにより、シールドフィンガ２０の長手方向Ｄ１及び幅方向Ｄ２への移動が規制される。
【００３５】
図８は、シールドフィンガ２０のフィンガ部２３、ハウジング２及び蓋部３を示す図である。図８に示されるように、フィンガ部２３は、胴体部２２からハウジング２の外方に傾斜して延びる第１部分２３ａと、第１部分２３ａの先端（胴体部２２との反対側の端部）からハウジング２に向かって湾曲する第２部分２３ｂと、第２部分２３ｂの先端からハウジング２の外方に湾曲する第３部分２３ｃとを有する。
【００３６】
フィンガ部２３とハウジング２の間には弾性体２４が設けられている。弾性体２４は、例えば、高弾性材料によって構成されており、弾力チューブ、スポンジ又は不織布であってもよい。弾性体２４は、第１部分２３ａ及び第２部分２３ｂとハウジング２の表面との間に介在する。弾性体２４は、導電性材料によって構成されていてもよいし、絶縁性材料によって構成されていてもよい。弾性体２４が導電性材料によって構成されている場合、シールド効果を高め、ＥＭＩの遮蔽性を高めることが可能となる。
【００３７】
図９は、シールドフィンガ２０、蓋部３及びハウジング２を示す断面図である。図９に示されるように、シールドフィンガ２０は、ハウジング２と蓋部３の係合部、具体的には、第１凹部２ｃ及び第２凹部２ｄに入り込んだ凸部３ｃ及び突出部３ｂを覆う。これにより、シールドフィンガ２０は、ハウジング２と蓋部３の係合部を取り囲む。
【００３８】
シールドフィンガ２０は、係合穴１５から延びると共に蓋部３の上面３ｅに接触する第１部分２０Ａと、第１部分２０Ａから側壁２ｂに沿って曲がる第２部分２０Ｂと、第２部分２０Ｂの第１部分２０Ａとの反対側（下側）の端部から底壁２ａに沿って曲がる第３部分２０Ｃとを有する。
【００３９】
前方からシールドフィンガ２０を見たときにおける第１部分２０Ａの寸法Ａの精度は、第２部分２０Ｂの寸法Ｂの精度よりも高い。これにより、係合部２１を係合穴１５に安定してかしめることができ、シールドフィンガ２０による安定したかしめ強度が得られる。また、第１部分２０Ａと第２部分２０Ｂとの成す角度θ２は、第２部分２０Ｂと第３部分２０Ｃとの成す角度θ３よりも僅かに小さい。これにより、第２部分２０Ｂ及び第３部分２０Ｃにおいて、シールドフィンガ２０に余裕を持たせることが可能となる。
【００４０】
図１０は、シールドフィンガ２０の平面図である。図１１は、フィンガ部２３とハウジング２を示す図である。前述したように、シールドフィンガ２０は、胴体部２２及び複数のフィンガ部２３を備えており、複数のフィンガ部２３の間にはスリット２５が形成されている。
【００４１】
スリット２５は、複数設けられている。複数のスリット２５は、複数のフィンガ部２３の配列方向（例えば幅方向Ｄ２）に沿って配列される。複数のスリット２５は、フィンガ部２３の端面２３ｆ（第３部分２３ｃの先端）からフィンガ部２３の曲げ開始位置Ｌに延びる第１スリット２５ａと、端面２３ｆから曲げ開始位置Ｌに向かって延びると共に第１スリット２５ａよりも長く延びる第２スリット２５ｂとを含む。
【００４２】
各スリット２５は、フィンガ部２３の端面２３ｆから直線状に延びる直線部２５ｃと、スリット２５の奥側の端部において直線部２５ｃから拡がる拡張部２５ｄとを有する。拡張部２５ｄは、例えば、円形状に拡張している。各スリット２５によってフィンガ部２３が弾性変形可能になっていると共に、拡張部２５ｄによってフィンガ部２３の弾性力が適宜調整されている。
【００４３】
次に、光トランシーバ１を組み立てる手順について説明する。図１２は、ハウジング２、光レセプタクル５及びシート３１を示す斜視図である。シート３１は、例えば、導電性ラバーによって構成されており、ＴＯＳＡ８のスリーブ、及びＲＯＳＡ９のスリーブのそれぞれが貫通する２つの孔３１ａを有する。
【００４４】
まず、ハウジング２の側壁２ｂの内面に形成された溝にシート３１を挿入する。また、図１３に示されるように、ハウジング２の外部において、予め回路基板６上に回路素子をソルダリングにより搭載し、光学調芯を済ませたＴＯＳＡ８及びＲＯＳＡ９をＦＰＣ基板１０，１１により回路基板６に接続して中間アセンブリＭを作製する。
【００４５】
ここで、光学調芯とは、ＴＯＳＡ８及びＲＯＳＡ９それぞれに搭載されている半導体光デバイス（ＬＤ，ＰＤ等）と、ＴＯＳＡ８及びＲＯＳＡ９それぞれのスリーブに挿入された光ファイバとの間の光学調芯をいう。光学調芯を済ませた中間アセンブリＭの回路基板６をハウジング２に収容し、ＴＯＳＡ８及びＲＯＳＡ９それぞれのスリーブをシート３１の孔３１ａに後方から挿入し、中間アセンブリＭをハウジング２の内部に搭載する。このとき、回路基板６は、側壁２ｂの内面に形成された段差２ｇ上に載置する。
【００４６】
次に、図１４に示されるように、ホルダ３２をハウジング２の内部に収容する。ホルダ３２は、導電性材料によって構成されており、例えば、ＳＵＳ３０４製、又はＳＵＳ３０１製である。ホルダ３２は、ＴＯＳＡ８及びＲＯＳＡ９それぞれのスリーブをハウジング２に対して固定する。ホルダ３２は、ＴＯＳＡ８及びＲＯＳＡ９それぞれのフランジの後部に位置し、当該フランジを光レセプタクル５の後壁に押し付けることにより、ＴＯＳＡ８及びＲＯＳＡ９をハウジング２の内部において固定する。
【００４７】
続いて、図１５に示されるように、内蓋４をハウジング２に搭載する。このとき、例えば、回路基板６の回路素子上に放熱グリースを塗布する。また、内蓋４の突起４ｂをハウジング２の溝２ｆの直上に位置させ、突起４ｂの円弧部４ｃを後方に向けた状態で突起４ｂを溝２ｆに挿入する。そして、突起４ｂを溝２ｆの奥端まで挿入し、突起４ｂの円弧部４ｃが後方から下方に移動するように、突起４ｂを中心として内蓋４を後方に回転する。
【００４８】
その後、図２に示されるように、蓋部３をハウジング２に固定する。具体的には、蓋部３の後端の両側に設けられた凸部３ｍを、ハウジング２の側壁２ｂの後端に位置する凹部２ｅに挿入し、蓋部３をハウジング２の側壁２ｂに支持する。そして、凸部３ｍを中心として蓋部３を前方に回転して蓋部３を内蓋４の上に配置する。
【００４９】
このとき、蓋部３の前端に位置する凸部３ｃ及び突出部３ｂがハウジング２の第１凹部２ｃ及び第２凹部２ｄに入り込む。そして、凸部３ｃが第２凹部２ｄに係合することにより、ハウジング２に蓋部３が係合し、ネジＮを蓋部３の挿通孔３ｄ及び内蓋４のネジ孔４ａに挿入してネジ孔４ａにネジ止めする。これにより、蓋部３が内蓋４に密に接触した状態で蓋部３を内蓋４に固定し、光トランシーバ１の組み立てが完了する。
【００５０】
次に、本実施形態に係る光トランシーバ１の作用効果について説明する。光トランシーバ１では、ハウジング２と内部空間Ｓを形成する蓋部３は、シールドフィンガ２０が入り込んでシールドフィンガ２０が係合する係合穴１５を有する。係合穴１５は、開口１５ｃ側から底面１５ｂ側に向かうに従って広がる傾斜面１５ｄを備える。よって、シールドフィンガ２０が係合穴１５に係合しているときに、シールドフィンガ２０が傾斜面１５ｄに当接することにより、係合穴１５からシールドフィンガ２０を抜けにくくすることができる。従って、蓋部３からシールドフィンガ２０が抜けにくくなることにより、ハウジング２から蓋部３を外れにくくすることができるので、蓋部３によるハウジング２の封止を確実に行うことができる。
【００５１】
また、シールドフィンガ２０は、係合穴１５に入り込む係合部２１を有し、係合部２１は、傾斜面１５ｄに沿った状態で係合穴１５に係合する。シールドフィンガ２０の係合部２１が傾斜面１５ｄに沿った状態で係合穴１５に係合する。よって、係合穴１５の傾斜面１５ｄに係合部２１を沿わせて係合部２１を蓋部３に強固に係合することができるので、シールドフィンガ２０により一層強固に蓋部３を固定することができる。従って、蓋部３を強固に固定することにより、蓋部３による封止をより確実に行うことができる。
【００５２】
また、シールドフィンガ２０は、ハウジング２を取り囲む胴体部２２と、胴体部２２からハウジング２に沿って延びる複数のフィンガ部２３と、を有し、複数のフィンガ部２３の間には、スリット２５が形成されている。複数のスリット２５は、複数のフィンガ部２３の配列方向に配列されており、複数のスリット２５は、フィンガ部２３の端面２３ｆからフィンガ部２３の曲げ開始位置Ｌに延びる第１スリット２５ａと、端面２３ｆから曲げ開始位置Ｌに向かって延びると共に第１スリット２５ａよりも長く延びる第２スリット２５ｂとを含む。第１スリット２５ａが曲げ開始位置Ｌに延びることにより、第１スリット２５ａに隣接するフィンガ部２３の先端側の部分に確実に弾性力を発揮させることができる。よって、フィンガ部２３によるバネ力を確実に発揮することができる。
【００５３】
更に、第２スリット２５ｂが曲げ開始位置Ｌよりも奥側まで長く延びることにより、第２スリット２５ｂに隣接するフィンガ部２３によって応力を緩和することができるので、フィンガ部２３のへたりを抑制することができる。このように、互いに長さが異なる第１スリット２５ａと第２スリット２５ｂを備えることにより、バネ力を発揮する効果と、へたりを抑制する効果の両方を得ることができる。
【００５４】
また、光トランシーバ１は、フィンガ部２３とハウジング２との間に挟み込まれた弾性体２４を備える。フィンガ部２３とハウジング２との間に弾性体２４が介在することにより、フィンガ部２３をホストシステムのケージ側に押し上げることができる。従って、フィンガ部２３とケージとの接触を確保することができる。
【００５５】
また、シールドフィンガ２０は、係合穴１５から延びると共に蓋部３の上面３ｅに接触する第１部分２０Ａと、第１部分２０Ａから側壁２ｂに沿って曲がる第２部分２０Ｂと、第２部分２０Ｂの第１部分２０Ａとの反対側の端部から底壁２ａに沿って曲がる第３部分２０Ｃと、を有し、第２部分２０Ｂと第３部分２０Ｃとの成す角の角度θ３は、第１部分２０Ａと第２部分２０Ｂとの成す角の角度θ２よりも大きい。すなわち、係合穴１５から延びる第１部分２０Ａと第２部分２０Ｂの角度θ２は、第２部分２０Ｂと第３部分２０Ｃとの角度θ３よりも小さい。
【００５６】
よって、第１部分２０Ａと第２部分２０Ｂの角度θ２が相対的に小さいことによって、係合穴１５へのシールドフィンガ２０の係合をより強固に行うことができる。また、第２部分２０Ｂと第３部分２０Ｃとの角度θ３が相対的に大きいことによって、係合穴１５の反対側（底壁２ａ側）ではシールドフィンガ２０による締め付け力を緩和することができる。
【００５７】
また、内蓋４は、その前側に設けられる突起４ｂを中心として後方に回転し、蓋部３は、その後側に設けられる凸部３ｍを中心として前方に回転する。このように、蓋部３を前方に回転させて内蓋４を後方に回転させることにより、長手方向Ｄ１の複数の箇所が固定されることになる。よって、蓋部３と内蓋４を強固に固定することができ、固定後の蓋部３及び内蓋４のがたつきを確実に抑えることができる。また、蓋部３は、光トランシーバ１の前側においてハウジング２と係合するため、光トランシーバ１の前側を確実に固定することができる。従って、光トランシーバ１の前側において蓋部３を開きにくくすることができる。
【００５８】
また、ハウジング２に対する蓋部３の係合部（突出部３ｂ及び凸部３ｃ）は、幅方向Ｄ２の内側に突出するフック形状とされている。蓋部３の係合部がフック形状とされていることにより、蓋部３を成形する金型を簡易にすることができるため製造性を向上させることができる。更に、金型の微調整及びメンテナンスを容易に行うことができる。
【００５９】
また、フィンガ部２３は、ハウジング２の外方に傾斜する第１部分２３ａと、ハウジング２に向かって湾曲する第２部分２３ｂと、第２部分２３ｂの先端からハウジング２の外方に湾曲する第３部分２３ｃとを有する。フィンガ部２３が第１部分２３ａ及び第２部分２３ｂを備えることにより、ケージとフィンガ部２３との接触点、及びハウジング２とフィンガ部２３との接触点を近づけることができので、シールド性を向上させることができる。
【００６０】
以上、本発明に係る光トランシーバの好適な実施形態について説明したが、本発明は、前述した実施形態に限定されない。すなわち、特許請求の範囲に記載された本発明の要旨の範囲内において、種々の変形及び変更が可能であることは、当業者によって容易に認識される。
【００６１】
例えば、前述の実施形態では、一対の突出部３ｂと凸部３ｃとを備え、凸部３ｃ及び突出部３ｂがハウジング２の第１凹部２ｃ及び第２凹部２ｄに入り込み、凸部３ｃが第２凹部２ｄに係合することにより、ハウジング２に蓋部３が係合する例について説明した。しかしながら、ハウジング２に係合する蓋部３の構造は適宜変更可能である。例えば、図１６に示されるように、凸部３ｃを有する蓋部３に代えて、孔部４３ｃを有する蓋部４３を備えていてもよい。この場合、孔部４３ｃを有する突出部４３ｂがハウジング２の凹部２ｃに入り込み、凹部２ｃに形成された凸部が孔部４３ｃに係合することにより、ハウジング２に蓋部４３が係合する。
【００６２】
前述の実施形態では、円弧状である突起４ｂを備えた内蓋４、及び半円状の溝２ｆを備えたハウジング２について説明したが、内蓋の突起、及びハウジングの溝の形状は前述の例に限定されない。例えば、内蓋の突起の形状は、円形状、長円形状又は多角形状であってもよく、溝に係合可能な形状であれば適宜変更可能である。更に、突起４ｂを有する内蓋４、及び溝２ｆを有するハウジング２に代えて、溝を有する内蓋、及び突起を有するハウジングを備えていてもよい。
【符号の説明】
【００６３】
１…光トランシーバ、２…ハウジング、２ａ…底壁、２ｂ…側壁、２ｃ…第１凹部、２ｄ…第２凹部、２ｅ…凹部、２ｆ…溝、２ｇ…段差、３，４３…蓋部、３ａ…裏面、３ｂ，４３ｂ…突出部、３ｃ…凸部、３ｄ…挿通孔、３ｅ…上面、３ｆ…凹部、３ｇ…溝部、３ｈ…凸部、３ｊ…端面、３ｋ…突出部、３ｍ…凸部、４…内蓋、４ａ…ネジ孔、４ｂ…突起、４ｃ…円弧部、５…光レセプタクル、６…回路基板、６ａ…電気プラグ、７…ガスケット、１０，１１…ＦＰＣ基板、１５…係合穴、１５ａ…内側面、１５ｂ…底面、１５ｃ…開口、１５ｄ…傾斜面、２０…シールドフィンガ（固定具）、２０Ａ…第１部分、２０Ｂ…第２部分、２０Ｃ…第３部分、２０ａ…下面、２１…係合部，２１ａ…内面、２１ｂ…外面、２１ｃ…端面、２２…胴体部、２３…フィンガ部、２３ａ…第１部分、２３ｂ…第２部分、２３ｃ…第３部分、２３ｆ…端面、２４…弾性体、２５…スリット、２５ａ…第１スリット、２５ｂ…第２スリット、２５ｃ…直線部、２５ｄ…拡張部、３１…シート、３１ａ…孔、３２…ホルダ、４３ｃ…孔部、Ａ，Ｂ…寸法、Ｄ１…長手方向、Ｄ２…幅方向、Ｌ…曲げ開始位置、Ｍ…中間アセンブリ、Ｎ…ネジ、Ｎ１…先端、Ｓ…内部空間、θ１，θ２，θ３…角度。
【図１】
2019015795.tif 000003
【図２】
2019015795.tif 000004
【図３】
2019015795.tif 000005
【図４】
2019015795.tif 000006
【図５】
2019015795.tif 000007
【図６】
2019015795.tif 000008
【図７】
2019015795.tif 000009
【図８】
2019015795.tif 000010
【図９】
2019015795.tif 000011
【図１０】
2019015795.tif 000012
【図１１】
2019015795.tif 000013
【図１２】
2019015795.tif 000014
【図１３】
2019015795.tif 000015
【図１４】
2019015795.tif 000016
【図１５】
2019015795.tif 000017
【図１６】
2019015795.tif 000018